【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
セッションを管理する方法であって、
セッションをオープンするステップと、
セッションオープン時刻とセッション期間の長さとを含むトークンを生成するステップと、
セッション期間の前記長さが経過する前の第１の時間内にトークンを受信するステップと、
前記受信したことに応じて、セッション期間の新しい長さを規定するために、セッション期間の前記長さに第２の時間を追加するステップと、
前記追加によって変更されたセッション期間の新しい長さを反映するために、トークンを更新するステップと、
セッション期間の前記新しい長さが経過した後に前記トークンを満了させるステップと、
を備え、
前記セッションが、前記オープンするステップと前記満了させるステップとの間の期間中、オープンしたままであり、
前記トークンの非満了ステータス又は満了ステータスが、前記セッションがオープンであるか又はクローズであるかをそれぞれ制御し、
前記トークンを発行したサーバーが、前記オープンするステップと前記更新するステップとの間におけるユーザとサーバーとのトランザクションのために、データベースと協働することがない、
前記方法。
【請求項２】
第１の時間が、セッション期間の前記長さが経過する直前に発生する再利用ウィンドウであり、
セッション期間の長さが、セッションオープン時刻から測定される相対的な時間かまたはセッションオープン時刻と同じ時間を基準によって測定される絶対的な時間のいずれかである、
請求項１に記載の方法。
【請求項３】
前記受信するステップ、前記追加するステップ、および、前記更新するステップが、再帰的に繰り返されるものであり、それによって、トークンが、セッション期間の前記新しい長さが経過する前の第１の時間内に受信されたならば、前記新しいセッション時間が延長される請求項１に記載の方法。
【請求項４】
第１の時間が、前記受信するステップ、前記追加するステップ、および、前記更新するステップのいずれかを繰り返すときに不変である請求項３に記載の方法。
【請求項５】
第１の時間が、前記受信するステップ、前記追加するステップ、および、前記更新するステップのいずれかを繰り返すときに異なってもよい請求項３に記載の方法。
【請求項６】
第２の時間が、前記受信するステップ、前記追加するステップ、および、前記更新するステップのいずれかを繰り返すときに不変である請求項３に記載の方法。
【請求項７】
第２の時間が、前記受信するステップ、前記追加するステップ、および、前記更新するステップのいずれかを繰り返すときに異なってもよい請求項３に記載の方法。
【請求項８】
前記満了させるステップの前に受信されたトークンに関連するトランザクションを処理するステップをさらに備えた請求項１に記載の方法。
【請求項９】
少なくともセッション開始時刻、セッション期間の長さ、および、第１の時間をトークン内に記憶するステップをさらに備えた請求項１に記載の方法。
【請求項１０】
少なくとも第２の時間をトークン内に記憶するステップをさらに備えた請求項９に記載の方法。
【請求項１１】
第２の時間が、セッションオープン時刻および／またはセッション期間の長さによって規定される認可された使用期間の１／２よりも短いかまたは１／２に等しい請求項１に記載の方法。
【請求項１２】
第１の時間が、第２の時間の１／２よりも短いかまたは１／２に等しい請求項１に記載の方法。
【請求項１３】
第１の時間が、第２の時間の１／２よりも短いかまたは１／２に等しい請求項１１に記載の方法。
【請求項１４】
セッションを管理する方法であって、
セッションをオープンするように要求するステップと、
セッションオープン時刻およびセッション期間の長さを含むトークンを１番目に受信するステップと、
セッション期間の前記長さが経過する前の第１の時間内にトランザクション要求およびトークンを送信するステップと、
前記送信したことに応じて、トークンに関連するセッション期間の更新された長さを２番目に受信するステップと、
を備え、
前記セッションが、前記オープンするステップと、前記セッションの更新された長さに達したことによる前記セッションの満了との間の期間中、オープンしたままであり、
前記トークンの非満了ステータス又は満了ステータスが、前記セッションがオープンであるか又はクローズであるかをそれぞれ制御し、
前記トークンを発行したサーバーが、前記オープンするステップと前記更新するステップとの間におけるユーザとサーバーとのトランザクションのために、データベースと協働することがない、
前記方法。
【請求項１５】
前記送信するステップおよび前記２番目に受信するステップが、再帰的なものであり、それによって、トークンが、セッション期間の更新された長さが経過する前の第１の時間内に送信されたならば、前記更新されたセッション時間が、再度、更新される請求項１４に記載の方法。
【請求項１６】
第１の時間が、前記送信するステップおよび前記２番目に受信するステップのいずれかを繰り返すときに不変である請求項１５に記載の方法。
【請求項１７】
第１の時間が、前記送信するステップおよび前記２番目に受信するステップのいずれかを繰り返すときに異なってもよい請求項１５に記載の方法。
【請求項１８】
第２の時間が、前記送信するステップおよび前記２番目に受信するステップのいずれかを繰り返すときに不変である請求項１５に記載の方法。
【請求項１９】
第２の時間が、前記送信するステップおよび前記２番目に受信するステップのいずれかを繰り返すときに異なってもよい請求項１５に記載の方法。
【請求項２０】
セッションオープン時刻および／またはセッション期間の長さによって規定される認可された使用期間中に送信されたトークンに関連するトランザクションを処理するステップをさらに備えた請求項１４に記載の方法。
【請求項２１】
少なくともセッション開始時刻、セッションタイムアウト時刻、および、第１の時間をトークン内に記憶するステップをさらに備えた請求項１４に記載の方法。
【請求項２２】
少なくとも第２の時間をトークン内に記憶するステップをさらに備えた請求項２１に記載の方法。
【請求項２３】
第２の時間が、セッションオープン時刻および／またはセッション期間の長さによって規定される認可された使用期間の１／２よりも短いかまたは１／２に等しい請求項１４に記載の方法。
【請求項２４】
第１の時間が、第２の時間の１／２よりも短いかまたは１／２に等しい請求項１４に記載の方法。
【請求項２５】
第１の時間が、第２の時間の１／２よりも短いかまたは１／２に等しい請求項２３に記載の方法。
【請求項２６】
セッションを管理する方法であって、
セッションをオープンするステップと、
セッションがいつオープンされたかというタイムスタンプとセッションタイムアウト時刻とを含むトークンを生成するステップと、
セッションタイムアウト時刻が過ぎる前のウィンドウ内でトークンを受信するステップと、
前記受信したことに応じて、追加時間長さをトークンに追加するステップと、
追加時間長さを反映するために、トークンを更新するステップと、
セッション期間の前記新しい長さが経過した後に前記トークンを満了させるステップと、
を備え、
前記セッションが、前記オープンするステップと前記満了させるステップとの間の期間中、オープンしたままであり、
前記トークンの非満了ステータス又は満了ステータスが、前記セッションがオープンであるか又はクローズであるかをそれぞれ制御し、かつ
前記トークンを発行したサーバーが、前記オープンするステップと前記更新するステップとの間におけるユーザとサーバーとのトランザクションのために、データベースと協働することがない、
前記方法。
【請求項２７】
【数１】
2010515143.tif 000001
ここで、
ｓｔｏは、タイムスタンプおよび／またはセッションタイムアウト時刻によって規定される認可された使用期間であり、
ｅｔｄは、延長された時間長さであり、
ｒｃｗは、ウィンドウの期間である、
請求項２６に記載の方法。
【請求項２８】
前記オープンするステップに関連して、サーバーが、セッションデータを記憶するために、データベースと協働し、
前記更新するステップに関連して、サーバーが、更新されたトークンデータを記憶するために、データベースと協働する、
請求項２６に記載の方法。
【請求項２９】
前記サーバーが、（ａ）前記オープンするステップに関連する場合、および、（ｂ）前記更新に関連する場合の他には、ユーザとサーバーとのインテラクションに応じてデータベースと協働することがない請求項２７に記載の方法。
【請求項３０】
サーバーが、前記オープンするステップと前記更新するステップとの間におけるユーザとサーバーとのトランザクションのために、データベースと協働することがない請求項２７に記載の方法。
【請求項３１】
前記オープンするステップに関連して、サーバーが、セッションデータを記憶するために、データベースと協働し、
前記更新するステップに関連して、サーバーが、更新されたトークンデータを記憶するために、データベースと協働する、
請求項１に記載の方法。
【請求項３２】
前記サーバーが、（ａ）前記オープンするステップに関連する場合、および、（ｂ）前記更新に関連する場合の他には、ユーザとサーバーとのインテラクションに応じてデータベースと協働することがない請求項１に記載の方法。